【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】データ配信システムとその方法、データ処理装置およびデータ使用制御装置
【手続補正２】
【補正対象書類名】明細書
【補正対象項目名】特許請求の範囲
【補正方法】変更
【補正の内容】
【特許請求の範囲】
【請求項１】
配信対象の所望のコンテンツデータに、当該コンテンツデータの記録および再生のいずれか一方または両方を含む任意の使用を許諾する回数である使用許諾回数の情報を含む使用制御情報を付加し、配信用データを生成するデータ配信装置と、
前記生成された配信用データの、前記コンテンツデータの使用許諾回数の情報に基づいて、前記コンテンツデータの使用が許諾されているか否かを検出し、使用が許諾されていた場合に当該コンテンツデータを使用し、該使用に基づいて前記使用許諾回数を減少させるように前記使用制御情報を更新するデータ処理装置と
を有するデータ配信システム。
【請求項２】
前記データ処理装置は、外部より信号処理状態の観察および変更が不可能な信号処理装置を有し、当該信号処理装置において、前記コンテンツデータの使用が許諾されているか否かの検出、該検出結果に基づく当該コンテンツデータの使用の制御および該使用に基づく前記使用制御情報の更新を行なう
請求項１に記載のデータ配信システム。
【請求項３】
前記データ処理装置は、前記コンテンツデータを記録する場合には、該コンテンツデータに新たに任意の値に設定された前記使用許諾回数の情報を含む前記使用制御情報を付加して新たな配信用データを生成し、該配信用データを単位として記録を行なう
請求項２に記載のデータ配信システム。
【請求項４】
所望のコンテンツデータに、外部より操作不可能な形態で、当該コンテンツデータの記録および再生のいずれか一方または両方を含む当該コンテンツデータの任意の使用を許諾する回数である使用許諾回数の情報を含む使用制御情報を付加して、配信用データを生成し、
該配信用データを、所望の配信先に配信し、
前記配信先において、前記配信された配信用データの前記使用制御情報に基づいて、該配信用データの前記コンテンツデータの使用が許諾されているか否かを検出し、
前記検出の結果、使用が許諾されている場合に前記コンテンツデータを使用し、
前記使用に応じて、前記使用を許諾する回数を減少させるように前記使用制御情報を更新する
データ配信方法。
【請求項５】
所望のコンテンツデータに、当該コンテンツデータの記録および再生のいずれか一方または両方を含む当該コンテンツデータの任意の使用を許諾する回数の情報を含む使用制御情報が付加された配信用データより、前記使用制御情報の前記使用を許諾する回数の情報を抽出する制御情報抽出手段と、
前記抽出した前記使用を許諾する回数の情報に基づいて、前記コンテンツデータの使用が許諾されているか否かを検出する使用許諾手段と、
前記検出の結果該コンテンツデータの使用が許諾されている場合に、前記コンテンツデータが使用されるように、該使用を制御する使用制御手段と、
前記制御に基づいて前記コンテンツデータを使用する使用手段と、
前記使用に基づいて、前記使用を許諾する回数を減少させるように前記使用制御情報を更新する制御情報更新手段と
を有するデータ処理装置。
【請求項６】
前記使用許諾手段は、前記抽出した前記使用を許諾する回数の情報に基づいて、前記コンテンツデータの再生が許諾されているか否かを検出し、
前記使用制御手段は、前記検出の結果該コンテンツデータの再生が許諾されている場合に前記コンテンツデータが再生されるように前記使用手段を制御し、
前記使用手段は、前記制御に基づいて前記コンテンツデータを再生し、
前記制御情報更新手段は、前記再生に基づいて前記使用制御情報を更新する
請求項５に記載のデータ処理装置。
【請求項７】
前記コンテンツデータに、新たに任意の値に設定された前記使用を許諾する回数の情報を含む前記使用制御情報を付加し、新たな配信用データを生成する配信用データ生成手段
をさらに有し、
前記使用許諾手段は、前記抽出した前記使用を許諾する回数の情報に基づいて、前記コンテンツデータの記録が許諾されているか否かを検出し、
前記使用制御手段は、前記検出の結果該コンテンツデータの記録が許諾されている場合に前記コンテンツデータが記録されるように、前記配信用データ生成手段および前記使用手段を制御し、
前記配信用データ生成手段は、記録対象の前記コンテンツデータを用いて前記新たな配信用データを生成し、
前記使用手段は、前記制御に基づいて前記生成された新たな配信用データを記録し、
前記制御情報更新手段は、前記新たな配信用データの生成および前記記録に基づいて前記使用制御情報を更新する
請求項６に記載のデータ処理装置。
【請求項８】
配信される、所望のコンテンツデータに、当該コンテンツデータの記録および再生のいずれか一方または両方を含む当該コンテンツデータの任意の使用を許諾する回数の情報を含む使用制御情報が付加された配信用データの、コンテンツデータを使用する装置に設けられ、
配信された前記配信用データより、前記使用制御情報の前記使用を許諾する回数の情報を抽出する制御情報抽出手段と、
前記抽出した前記使用を許諾する回数の情報に基づいて、前記コンテンツデータの使用が許諾されているか否かを検出する使用許諾手段と、
前記検出の結果該コンテンツデータの使用が許諾されている場合に、前記コンテンツデータが使用されるように、該使用を制御する使用制御手段と、
当該コンテンツデータが使用された場合に、当該使用に基づいて、前記使用を許諾する回数を減少させるように前記使用制御情報を更新する制御情報更新手段と
を有するデータ使用制御装置。
【請求項９】
当該データ使用制御装置は、外部より信号処理状態の観察および変更が不可能な信号処理装置により構成される
請求項８に記載のデータ使用制御装置。
【請求項１０】
前記使用許諾手段は、前記抽出した前記使用を許諾する回数の情報に基づいて、前記コンテンツデータの再生が許諾されているか否かを検出し、
前記使用制御手段は、前記検出の結果該コンテンツデータの再生が許諾されている場合に前記コンテンツデータが再生されるように前記使用を制御し、
前記制御情報更新手段は、前記再生に基づいて前記使用制御情報を更新する
請求項９に記載のデータ使用制御装置。
【手続補正３】
【補正対象書類名】明細書
【補正対象項目名】０００１
【補正方法】変更
【補正の内容】
【０００１】
【発明の属する技術分野】
本発明は、たとえば音楽著作物や映像著作物などの著作物に関わるデータなどの任意のデータを、適切な課金を行なうなど適切なコピーコントロールを行ないながら配信することのできるデータ配信システムおよびデータ配信方法、そのようなシステムに用いられるデータ記録再生装置とその方法、そのような装置に用いられるデータ処理装置、そのようなデータ処理装置に用いられ前記コピーコントロールを実現するためのデータ使用制御装置に関する。
【手続補正４】
【補正対象書類名】明細書
【補正対象項目名】００１５
【補正方法】変更
【補正の内容】
【００１５】
また、本発明の他の目的は、データ処理装置などに搭載され、配信される、たとえば音楽著作物や映像著作物などの著作物に関わるデータなどの任意のデータを、シリアル世代とパラレル世代の両方に対して適切な課金を行なうなど適切なコピーコントロールを行ないながら使用させることのできる、データ使用制御装置を提供することにある。
【手続補正５】
【補正対象書類名】明細書
【補正対象項目名】００２０
【補正方法】削除
【補正の内容】
【手続補正６】
【補正対象書類名】明細書
【補正対象項目名】０１６１
【補正方法】変更
【補正の内容】
【０１６１】
また、データ処理装置などに搭載され、配信される、たとえば音楽著作物や映像著作物などの著作物に関わるデータなどの任意のデータを、シリアル世代とパラレル世代の両方に対して適切な課金を行なうなど適切なコピーコントロールを行ないながら使用させることのできる、データ使用制御装置を提供することができる。